(57)【特許請求の範囲】
【請求項１】
起立させたテーブルの端部を挿通可能なケーブル開口部が形成された底部を有する箱体を、前記起立させたケーブルの端部の上方から前記ケーブル開口部に前記ケーブルの端部を挿通して設置するスイッチギヤにおいて、
前記箱体は、
前記設置状態で該箱体を水平方向に移動させることで前記ケーブルの端部を該箱体の外方に位置させる開放通路を備え、
該開放通路は、
前記ケーブル開口部が前記底部の一方の端縁まで開放し、かつ前記箱体の内壁及び外壁に該箱体を水平方向に移動させる際に前記起立させたケーブルの端部が通過可能な開口部が設けられて形成されたことを特徴とするスイッチギヤ。
【請求項２】
前記内壁及び外壁の開口部に着脱可能に形成され、該開口部に装着された状態で該開口部の一部または全部を閉鎖する補強材を備えることを特徴とする請求項１に記載のスイッチギヤ。
【請求項３】
請求項１または２に記載のスイッチギヤを撤去する方法であって、
前記ケーブルと該ケーブルと接続された前記箱体内の電気機器との接続を解除する接続解除工程と、
該接続解除工程の後に、前記ケーブルの端部が前記開放通路内を移動するように前記箱体を水平方向に移動させて前記ケーブルの端部を前記箱体から外部に露出させる箱体水平移動工程と、
を備えることを特徴とするスイッチギヤの撤去方法。
【発明の詳細な説明】
【技術分野】
【０００１】
本発明は、電力供給を遮断する遮断器等の電気機器を内部に収容する箱体を備えたスイッチギヤ及びこのスイッチギヤの撤去方法に関する。
【背景技術】
【０００２】
例えば、落雷等によって送電系統に事故が発生した場合は、スイッチギヤが電力供給を遮断して送電系統を保護する。スイッチギヤは、例えば、変電所等から電力を供給するために屋内の床面や屋外の地面等の敷設面に敷設された電力ケーブルと接続されている。
【０００３】
このようなスイッチギヤは、電力ケーブルや遮断器、継電器等の各電気機器を内部に収容する箱体を備える。箱体の内部は、ケーブル室、遮断器室、継電器室等に区画され、区画された各室にそれぞれ、電力ケーブルや遮断器、継電器等の各電気機器が収容される（例えば、特許文献１を参照）。
【０００４】
図４（ａ）で示すように、変電所等の施設の屋内に設置されたスイッチギヤ１００は、物体の重量を床面Ａ上で分散するチャンネルベース１０２の上に配置される。スイッチギヤ１００は略２．４ｍ程度の高さを有することから、スイッチギヤ１００の上部１００Ａと施設の天井部Ｓとの間の距離が近接する。
【０００５】
このスイッチギヤ１００のケーブル室１０１の底部１００Ｂには、ケーブル開口部１０１Ａが形成されている。ケーブル開口部１０１Ａを介して、床面Ａに敷設された電力ケーブル１０４の端部が起立せしめられた状態で、電力ケーブル１０４がケーブル室１００ａ内に下方から収容され、図示しない遮断器に接続されている。
【０００６】
このスイッチギヤ１００が長年の使用によって劣化したり、不具合が発生したりした場合は、電力ケーブル１０４を床面Ａの近傍で切断し、スイッチギヤ１００の底部１００Ｂと床面Ａとの間にコロ等を介在させて、矢線Ｆで示すスイッチギヤの水平方向に移動させて劣化あるいは不具合の発生したスイッチギヤ１００ごと撤去して、新たなスイッチギヤ１００と交換する。
【０００７】
一方、図４（ｂ）で示すように、変電所等の施設の屋外に設置されたスイッチギヤ１００は、物体の重量を地面Ｂ上で分散するチャンネルベース１０２の上に配置される。
【０００８】
屋外に設置されたスイッチギヤ１００を撤去する場合は、電力ケーブル１０４と遮断器との接続を解除してスイッチギヤ１００をクレーン１１０で吊り上げて、底部１００Ｂのケーブル開口部１０１Ａから電力ケーブル１０４を抜いて、劣化あるいは不具合の発生したスイッチギヤ１００ごと撤去して、新たなスイッチギヤ１００と交換する。
【０００９】
ケーブル開口部１０１Ａから電力ケーブル１０４を抜く際には、スイッチギヤ１００を吊り上げた状態で底部１００Ｂとチャンネルベース１０２との間に支持部材１２０を介在させてスイッチギヤ１００を支持しておき、このときに作業員Ｍが底部１００Ａとチャンネルベース１０２との間に入り込んで、電力ケーブル１０４を支持する等の作業を行う必要がある。
【先行技術文献】
【特許文献】
【００１０】
【特許文献１】特開２０１１−００４５４３号公報
【発明の概要】
【発明が解決しようとする課題】
【００１１】
屋内に設置されたスイッチギヤ１００を撤去する場合は、スイッチギヤ１００の上部１００Ａと施設の天井部Ｓとの間の距離が近接し、上部１００Ａと施設の天井部Ｓとの間にクレーン１１０を導入してスイッチギヤ１００を吊り上げることができないことから、劣化あるいは不具合が発生していない電力ケーブル１０４であっても、床面Ａの近傍で切断して床面Ａから撤去しなければならなくなる。従って、新たなスイッチギヤ１００を設置するためには、新たな電力ケーブル１０４を改めて床面Ａに敷設する必要がある。その結果、電力ケーブル１０４の撤去及び敷設による作業負担の増大、更に、本来不要であるはずの、新たな電力ケーブル１０４を敷設するための作業コストがかかることとなる。
【００１２】
一方、屋外に設置されたスイッチギヤ１００を撤去する場合は、クレーン１２０で吊り上げられたスイッチギヤ１００の底部１００Ｂとチャンネルベース１０２との間に作業員Ｍが入り込んで、電力ケーブル１０４を支持する等の作業を行う必要がある。従って、吊り上げられた状態の不安定な重量物であるスイッチギヤ１００の下で作業員Ｍが作業を行うことから、高度の作業安全性が要求される。その結果、作業負担が増大することが想定される。
【００１３】
また、スイッチギヤ１００を吊り上げるクレーン１１０や、吊り上げられたスイッチギヤ１００を支持する支持部材１２０等が必要となることから、作業コストが増大することも想定される。
【００１４】
本発明は、上記課題に鑑みてなされたものであり、その目的は、作業の安全性を確保し、作業負担及び作業コストを抑えたうえで、撤去及び設置を容易に行うことができるスイッチギヤ及びこのスイッチギヤの撤去方法を提供することにある。
【課題を解決するための手段】
【００１５】
上記目的を達成するための請求項１に記載の発明は、起立させたテーブルの端部を挿通可能なケーブル開口部が形成された底部を有する箱体を、前記起立させたケーブルの端部の上方から前記ケーブル開口部に前記ケーブルの端部を挿通して設置するスイッチギヤにおいて、前記箱体は、前記設置状態で該箱体を水平方向に移動させることで前記ケーブルの端部を該箱体の外方に位置させる開放通路を備え、該開放通路は、前記ケーブル開口部が前記底部の一方の端縁まで開放し、かつ前記箱体の内壁及び外壁に該箱体を水平方向に移動させる際に前記起立させたケーブルの端部が通過可能な開口部が設けられて形成されたことを特徴とする。
【００１６】
この構成によれば、スイッチギヤは箱体によって構成され、この箱体の底部にはケーブル開口部が形成されている。このケーブル開口部を底部の一方の端縁まで開放するとともに、箱体の内壁及び外壁に、箱体を水平方向に移動させる際に起立させたケーブルの端部が通過可能な開口部を設けるという簡易な構成によって、開放通路が形成されていることから、劣化あるいは不具合が発生したスイッチギヤを撤去する際に、箱体を水平方向に移動させることによって、ケーブルの端部を開放通路内に通過させて、スイッチギヤを撤去することができる。
【００１７】
これにより、スイッチギヤを吊り上げることなく、かつスイッチギヤを吊り上げることができない場合にケーブルの端部を切断することなく、スイッチギヤを撤去することができる。従って、作業負担及び作業コストを抑制してスイッチギヤを撤去し、新たなスイッチギヤを設置することができる。
【００２０】
請求項２に記載のスイッチギヤは、請求項１に記載のスイッチギヤにおいて、前記内壁及び外壁の開口部に着脱可能に形成され、該開口部に装着された状態で該開口部の一部または全部を閉鎖する補強材を備えることを特徴とする。
【００２１】
この構成によれば、内壁及び外壁の開口部を閉鎖する補強材を取り付けることによって、重量物であるスイッチギヤの支持剛性を向上させることができる。一方、スイッチギヤを撤去する場合は、補強材が着脱可能に形成されていることから、補強材を開口部から取り外してスイッチギヤを容易に撤去することができる。
【００２２】
請求項３に記載のスイッチギヤの撤去方法は、請求項１または２に記載のスイッチギヤを撤去する方法であって、前記ケーブルと該ケーブルと接続された前記箱体内の電気機器との接続を解除する接続解除工程と、該接続解除工程の後に、前記ケーブルの端部が前記開放通路内を移動するように前記箱体を水平方向に移動させて前記ケーブルの端部を前記箱体から外部に露出させる箱体水平移動工程と、を備えることを特徴とする。
【００２３】
この構成によれば、ケーブルと電気機器との接続を解除したうえで、箱体を水平方向に移動する。これにより、ケーブルが開放通路を通過してケーブルを箱体の外方に位置させることができることから、スイッチギヤを撤去することができる。
【００２４】
従って、スイッチギヤを吊り上げることなく、かつスイッチギヤを吊り上げることができない場合にケーブルの端部を切断することなくスイッチギヤを撤去することができる。これにより、作業負担及び作業コストを抑制してスイッチギヤを撤去することができる。
【発明の効果】
【００２５】
この発明によれば、箱体を水平方向に移動させる簡易な動作によって、スイッチギヤを容易に撤去することができる。従って、屋外に設置されたスイッチギヤを撤去する場合に、スイッチギヤを吊り上げる必要がなくなる。これにより、スイッチギヤを吊り上げることにより生じる作業負担及び作業コストを削減することができるとともに、吊り上げた際にスイッチギヤの下に作業員が入り込んで撤去作業を行う必要がなくなることから、作業安全性を確保することができる。
【００２６】
更に、ケーブルの端部を切断することなくスイッチギヤを撤去することができる。これにより、健全なケーブルを切断する必要がなくなり、新たなスイッチギヤを設置する場合に、既設のケーブルを継続して使用することができる。従って、スイッチギヤを撤去して新たなスイッチギヤを設置する際の作業負担及び作業コストを抑制することができる。
【図面の簡単な説明】
【００２７】
【図１】本実施の形態に係るスイッチギヤの概略を説明する図である。
【図２】同じく、本実施の形態に係るスイッチギヤの概略を説明する断面図である。
【図３】本実施の形態に係るスイッチギヤを撤去する場合の概略を説明する図である。
【図４】従来のスイッチギヤの撤去方法の概略を説明する図であり（ａ）はスイッチギヤが屋内に設置されている場合、（ｂ）はスイッチギヤが屋外に設置されている場合の撤去方法を説明する図である。
【発明を実施するための形態】
【００２８】
次に、本発明の実施の形態について、図１〜図３に基づいて説明する。なお、図１〜図３において、図４と同様の構成要素には同一の符号を付して、その詳細な説明を省略する。
【００２９】
図１は本実施の形態に係るスイッチギヤ１０の概略を説明する図であり、図２は、スイッチギヤ１０の概略を説明する断面図である。図示のように、スイッチギヤ１０は、金属製の箱体２０を備え、遮断器等の電気機器を複数収容する金属閉鎖型に形成される。
【００３０】
箱体２０は、起立させた電力ケーブル１０４の端部１０４ａを挿通するケーブル開口部２２が形成された底部２０Ａを有し、電力ケーブル１０４の端部１０４ａを内部に収容する。
【００３１】
箱体２０は、箱体２０を水平方向に移動させることで電力ケーブル１０４を箱体２０の外方に位置させる開放通路２１を備える。この開放通路２１は、本実施の形態では、底部２０Ａの端縁２０Ａａまで開放して形成されたケーブル開口部２２、箱体２０の内壁及び外壁に設けられた開口部となる第１開口部２４及び第２開口部２６によって構成される。
【００３２】
次に、本実施の形態におけるスイッチギヤ１０の各部の具体的構成について説明する。
【００３３】
箱体２０は、底部２０Ａ及び底部２０Ａから立設された側部２０Ｂ、同じく底部２０Ａから立設されるとともに側部２０Ｂの後端縁と連続する後部２０Ｃを備え、後部２０Ｃと対向する前部２０Ｄに、前部２０Ｄの下端縁であって底部２０Ａの端縁２０Ａａから上方に向かって切り欠かれて外部に開放して形成された第１開口部２４を備える。
【００３４】
一方、箱体２０は、側部２０Ｂの上端縁、後部２０Ｃ及び前部２０Ｄの上端縁から連続して底部２０Ａと対向する上部２０Ｅを有し、底部２０Ａ、側部２０Ｂ、後部２０Ｃ、前部２０Ｄ及び上部２０Ｅによって立方体状に形成される。これら側部２０Ｂ、後部２０Ｃ及び前部２０Ｄによって外壁が構成される。
【００３５】
この箱体２０は、各種の電気機器をそれぞれ収容可能となるように内部が複数の室に区画され、矢線Ｌで示す方向から矢線Ｒで示す方向に向かって、図示しない継電器を収容する継電器室３０、電力ケーブル１０４を収容するケーブル室３２が順に配置されている。
【００３６】
一方、ケーブル室３２に隣接して図示しない第１遮断器を収容する第１遮断器室３４が配置され、第１遮断器室３４の下方に図示しない母線を収容する母線室３６、母線室３６の下方に図示しない第２遮断器を収容する第２遮断器室３８が配置されている。
【００３７】
これら継電器室３０〜第２遮断器室３８は、継電器室３０とケーブル室３２との間が内壁４０Ａによって区画され、ケーブル室３２と第１遮断器室３４、母線室３６、第２遮断器室３８との間が内壁４０Ｂによって区画される。一方、第１遮断器室３４と母線室３６との間が内壁４０Ｃによって区画され、母線室３６と第２遮断器室３８との間が内壁４０Ｄによって区画される。継電器室３０とケーブル室３２との間を区画する内壁４０Ａには、下端縁４０Ａａから上方に向かって切り欠かれた第２開口部２６が形成されている。
【００３９】
ケーブル開口部２２は、箱体２０の内方に向かって切り欠かれた凹状に形成され、底部２０Ａにおける箱体２０の内方から底部２０Ａの端縁２０Ａａまで開放して形成されている。このケーブル開口部２２は、本実施の形態では、その切欠幅が、底部２０Ａの幅に近接する幅広さを有して形成されている。
【００４０】
第１開口部２４及び第２開口部２６は、収容した電力ケーブル１０４の端部１０４ａが水平方向に通過することを許容する大きさを有して外部に開口して形成されており、この第１開口部２４及び第２開口部２６の下方側はケーブル開口部２２によって開放して形成されている。第１開口部２４には、図３で示す外扉６０が第１開口部２４に対して開閉自在に設けられている。
【００４１】
外扉６０が開扉された状態で、第１開口部２４を介して外部と継電器室３０とが連通し、内壁４０Ａに設けられた第２開口部２６を介して継電器室３０とケーブル室３２とが連通する。すなわち、箱体２０は、ケーブル室３２と外部とが継電器室３０を介して連通して形成される。
【００４２】
上記構成を有する箱体２０は、物体の重量を床面Ａまたは地面Ｂ上で分散するチャンネルベース１０２の上に配置されて、施設の屋内または屋外に設置される。本実施の形態では、床面Ａまたは地面Ｂに敷設された電力ケーブル１０４の端部１０４ａが起立せしめられてチャンネルベース１０２から突出しており、電力ケーブル１０４の端部１０４ａが箱体２０のケーブル室３２に収容されるように、箱体２０がチャンネルベース１０２の上に配置される。
【００４３】
本実施の形態では、箱体２０とチャンネルベース１０２との間に補強板５０を介在させた状態で、箱体２０がチャンネルベース１０２上に配置される。この補強板５０は、チャンネルベース１０２から突出する電力ケーブル１０４の端部１０４ａを挿通するとともに、箱体２０の底部２０Ａと重ね合わせられた状態でケーブル開口部２２と連通する連通部５０ａを有して形成される。更に、この補強板５０には、図示しない制御ケーブルを挿通する制御ケーブル挿通部５０ｂが形成されている。
【００４４】
このように、チャンネルベース１０２の上に補強板５０が配置され、その上に箱体２０が配置された状態で、第２開口部２６の下部に、板状の下部補強材５２が取り付けられ、第１開口部２４の下部に、前部補強材５４が取り付けられ、第１開口部２４及び第２開口部２６の一部を閉鎖するように構成されている。
【００４５】
この補強板５０、下部補強材５２及び前部補強材５４によって、金属閉鎖型の重量物であるスイッチギヤ１０の支持剛性を向上させることができる。一方、小動物がスイッチギヤ１０内に侵入したり、湿気によってスイッチギヤ１０が発錆したりすることを抑制することもできる。
【００４６】
次に、本実施の形態に係るスイッチギヤ１０を撤去する場合について説明する。
【００４７】
図３は、本実施の形態に係るスイッチギヤ１０を撤去する場合の概略を説明する図である。図３（ａ）で示すように、施設の屋内または屋外に設置されたスイッチギヤ１０の外扉６０を開扉して、下部補強材５２及び前部補強材５４を取り外す。これにより、ケーブル室３２から継電器室３０を経て外部までが連通する。その後、電力ケーブル１０４の端部１０４ａと図示しない遮断器との接続を解除する（接続解除工程）。このとき、電力ケーブル１０４は、遮断器との接続が解除されても、起立した状態が保持される。
【００４８】
接続解除工程の後、スイッチギヤ１０をジャッキ等で持ち上げて、図３（ｂ）で示すように、箱体２０の底部２０Ａと床面Ａまたは地面Ｂとの間にコロ１３０を介在させて、スイッチギヤ１０を矢線Ｆで示す水平方向、すなわち第１開口部２４及び第２開口部２６の開口する方向と反対の方向に移動させる。スイッチギヤ１０を水平方向Ｆへ移動させると、電力ケーブル１０４の端部１０４ａが第２開口部２６を通過するとともに第１開口部２４を通過し、電力ケーブル１０４の端部１０４ａが、外部に露出する（箱体水平移動工程）。
【００４９】
このように、本実施の形態のスイッチギヤ１０によると、スイッチギヤ１０が屋内に設置されている場合に、健全な電力ケーブル１０４を切断することなく、スイッチギヤ１０を、第１開口部２４及び第２開口部２６の開口する方向と反対の水平方向Ｆに向かって移動させることによって、劣化あるいは不具合が発生したスイッチギヤ１０を容易に撤去することができる。
【００５０】
従って、新たなスイッチギヤ１０を設置する場合であっても、新たな電力ケーブル１０４を敷設する必要がなく、既設の電力ケーブル１０４を継続して使用できることから、劣化したスイッチギヤ１０の撤去及び新たなスイッチギヤ１０の設置の際の作業負担及び作業コストを軽減することができる。
【００５１】
一方、スイッチギヤ１０が屋外に設置されている場合に、スイッチギヤ１０をクレーン等で吊り上げたり、吊り上げられた状態の不安定なスイッチギヤ１０を支持部材等で支持したり、支持した状態でスイッチギヤ１０の下に入り込んで作業員が作業を行ったりする必要がない。
【００５２】
従って、作業安全性を確保したうえで、作業負担及び作業コストを削減して屋外に設置された劣化したスイッチギヤ１０を撤去し、新たなスイッチギヤ１０を設置することができる。
【００５３】
更に、本実施の形態では、ケーブル開口部２２は、切欠幅Ｗ１が底部２０Ａの幅Ｗ２に近接する幅広さを有して形成されていることから、スイッチギヤ１０を水平方向Ｆに移動させて第１開口部２２及び第２開口部２４に電力ケーブル１０４の端部１０４ａを通過させる際に、起立された電力ケーブル１０４の端部１０４ａにスイッチギヤ１０の底部２０Ａが衝突することを回避することができ、電力ケーブル１０４の破損を防止することができる。
【００５４】
新たなスイッチギヤ１０を設置する場合は、スイッチギヤ１０の箱体２０の底部２０Ａと床面Ａまたは地面Ｂとの間にコロ１３０を介在させて、スイッチギヤ１０を矢線Ｆで示す水平方向と反対方向、すなわち第１開口部２４及び第２開口部２６の開口する方向に移動させる。スイッチギヤ１０を水平方向Ｆと反対の方向へ移動させると、電力ケーブル１０４の端部１０４ａが第１開口部２４を通過するとともに第２開口部２６を通過し、電力ケーブル１０４の端部１０４ａが、ケーブル室３２内に下方から収容される。その後、電力ケーブル１０４の端部１０４ａと図示しない遮断器とを接続する。
【００５５】
箱体２０の底部２０Ａに設けられたケーブル開口部２２は、板状の部材や粘土の部材によって閉塞され、下部補強材５２及び前部補強材５４が取り付けられる。
【００５６】
なお、本発明は上記実施の形態に限定されることはなく、発明の趣旨を逸脱しない範囲で種々変更可能である。上記実施の形態では、箱体２０と補強板５０とを別体として形成した場合を説明したが、補強板５０の連通孔５０ａを電力ケーブル１０４の端部１０４ａが水平方向に通過することが可能な形状に形成することによって、箱体２０の底部２０Ａと補強板５０とを溶接等によって重ね合わせて一体に形成することができる。
【００５７】
上記実施の形態では、第２開口部２６の一部を閉鎖するように下部補強材５２を取り付け、第１開口部２４の一部を閉鎖するように前部補強材５４を取り付ける場合を説明したが、例えば、前部補強材５４及び下部補強材５２を、第１開口部２４位及び第２開口部２６の全部を閉鎖するように構成してもよい。
【符号の説明】
【００５８】
１０    スイッチギヤ
２０    箱体
２０Ａ    底部
２０Ｂ    側部
２０Ｄ    前部
２１    開放通路
２２    ケーブル開口部
２４    第１開口部
２６    第２開口部
３０    継電器室
３２    ケーブル室
４０ａ    内壁
５０    補強板
５２    下部補強材
５４    前部補強材
１０４    電力ケーブル（ケーブル）
１０４ａ    端部
【図１】
0005547240.tif 000002
【図２】
0005547240.tif 000003
【図３】
0005547240.tif 000004
【図４】
0005547240.tif 000005